(57)【要約】【課題】長尺状の照明装置において、配線により配光特性に悪影響が生じるのを抑制する。【解決手段】  組合せ基板１３１を平面視した場合において、接続端子１３３ａと接続端子１３３ｂの間の最短距離をＬ０とし、組合せ基板１３１の上面と第１カバー１４０の内周面との境界線と接続端子１３３ａとの間の最短距離をＬ１とし、組合せ基板１３１の上面と第１カバー１４０の内周面との境界線と接続端子１３３ｂとの間の最短距離をＬ２とする。この場合に、配線１３４の長さが、Ｌ０以上であり、（Ｌ０＋Ｌ１＋Ｌ２）以下である。【選択図】図６
2014099355.tif 000002
【特許請求の範囲】
【請求項１】
長尺矩形状の第１および第２基板を含み、前記第１基板の短辺と前記第２基板の短辺とが突き合わされた状態で配置された組合せ基板と、
前記第１基板上に前記第１基板の長手方向に沿って設けられた第１線状光源と、
前記第２基板上に前記第２基板の長手方向に沿って設けられた第２線状光源と、
前記第１基板上において、前記第１線状光源の脇に設けられ、前記第１線状光源に電気的に接続された第１接続端子と、
前記第２基板上において、前記第２基板の前記短辺を挟んで前記第１接続端子と向かい合わせの位置に設けられ、前記第２線状光源に電気的に接続された第２接続端子と、
前記第１接続端子と前記第２接続端子とを電気的に接続するための配線と、
前記第１および第２線状光源、前記第１および第２接続端子並びに前記配線を共通に覆う長尺半筒状の透光性カバーと、を備え、
前記透光性カバーは、前記透光性カバーの開口を前記組合せ基板に向けた状態で、前記透光性カバーの長手方向が前記組合せ基板の長手方向に沿うように配置され、
前記透光性カバーの短手方向の開口幅は、前記組合せ基板の短手方向の幅と同じかそれよりも小さく、
前記組合せ基板を平面視した場合において、
前記第１接続端子と前記第２接続端子の間の最短距離をＬ０とし、
前記組合せ基板の上面と前記透光性カバーの内周面との境界線と前記第１接続端子との間の最短距離をＬ１とし、
前記組合せ基板の上面と前記透光性カバーの内周面との境界線と前記第２接続端子との間の最短距離をＬ２としたとき、
前記配線の長さが、Ｌ０以上であり、（Ｌ０＋Ｌ１＋Ｌ２）以下であること
を特徴とする照明装置。
【請求項２】
Ｌ１とＬ２が同じであり、
前記配線の長さが、√（Ｌ０＾２＋（２×Ｌ１）＾２）以上であること
を特徴とする請求項１に記載の照明装置。
【請求項３】
前記配線は、被覆線と前記被覆線の両端にそれぞれ設けられたコネクタとを含み、
前記第１接続端子は、前記配線の一方のコネクタに適合する第１コネクタ受け部であり、
前記第２接続端子は、前記配線の他方のコネクタに適合する第２コネクタ受け部であること
を特徴とする請求項１に記載の照明装置。
【請求項４】
前記第１コネクタ受け部の受け口と前記第２コネクタ受け部の受け口とが互いに対向しており、
前記配線の一方のコネクタの前記第１コネクタ受け部への挿入の向きと、前記配線の他方のコネクタの前記第２コネクタ受け部への挿入の向きとが反対方向であること
を特徴とする請求項２に記載の照明装置。
【請求項５】
前記第１および第２線状光源は、それぞれ、複数の発光素子が互いに離間した状態で列状に配列されてなり、
前記第１および第２接続端子は、それぞれ、前記第１および第２基板の短手方向において何れの発光素子とも重ならないように位置していること
を特徴とする請求項１に記載の照明装置。
【発明の詳細な説明】
【技術分野】
【０００１】
本発明は、長尺状の照明装置に関する。
【背景技術】
【０００２】
近年、ＬＥＤ（Light Emitting Diode）を列状に配列した長尺状の照明装置が提案されている。図１４は、特許文献１に記載された照明装置の構造を示す分解斜視図である。
照明装置９００は、筐体９１０と、発光モジュール９３０と、透光性カバー９４０とを備える。発光モジュール９３０は、長尺矩形状の基板９３１と、基板９３１上に基板９３１の長手方向に沿って設けられた線状光源９３２とを備える。線状光源９３２は、列状に配列されたＬＥＤ９３５からなる。４つの発光モジュール９３０は、筐体９１０の長手方向に列状に配列されている。透光性カバー９４０は、長尺半筒状であり、４つの発光モジュール９３０を共通に覆っている。
【先行技術文献】
【特許文献】
【０００３】
【特許文献１】特開２０１１−１５０８１６号公報
【発明の概要】
【発明が解決しようとする課題】
【０００４】
ところで、特許文献１のように複数の発光モジュールを利用する場合、隣り合う発光モジュールを、配線を用いて電気的に接続することが考えられる。即ち、発光モジュールの基板上にそれぞれ接続端子を設けておき、発光モジュールを筐体内に列状に配列し、その後、これらの接続端子を配線で接続する。このような場合、配線の長さは、組立易さを考慮して余裕をもたせた長さに設定されると考えられる。しかしながら、何も考慮せずに配線の長さを設定すると、配線の余剰分が基板から浮き上がることで線状光源の出射光の影となり、配光特性に悪影響を及ぼすことになる。特に、長尺状の照明装置の場合、透光性カバーの短手方向の幅が狭く、そのため透光性カバーの内部で配線の余剰分を迂回させるスペースが限られているので、このような問題が顕著となる。
【０００５】
そこで、本発明は、長尺状の照明装置において、隣り合う基板を接続する配線により配光特性に悪影響が生じることを抑制する技術を提供する。
【課題を解決するための手段】
【０００６】
上記課題を解決するために、本発明に係る照明装置は、組合せ基板と、第１線状光源と、第２線状光源と、第１接続端子と、第２接続端子と、配線と、透光性カバーとを備える。組合せ基板は、長尺矩形状の第１および第２基板を含み、第１基板の短辺と第２基板の短辺とが突き合わされた状態で配置される。第１線状光源は、第１基板上に第１基板の長手方向に沿って設けられる。第２線状光源は、第２基板上に第２基板の長手方向に沿って設けられる。第１接続端子は、第１基板上において、第１線状光源の脇に設けられ、第１線状光源に電気的に接続される。第２接続端子は、第２基板上において、第２基板の短辺を挟んで第１接続端子と向かい合わせの位置に設けられ、第２線状光源に電気的に接続される。配線は、第１接続端子と第２接続端子とを電気的に接続する。透光性カバーは、第１および第２線状光源、第１および第２接続端子並びに配線を共通に覆う長尺半筒状である。透光性カバーは、透光性カバーの開口を組合せ基板に向けた状態で、透光性カバーの長手方向が組合せ基板の長手方向に沿うように配置される。また、透光性カバーの短手方向の開口幅は、組合せ基板の短手方向の幅と同じかそれよりも小さい。ここで、組合せ基板を平面視した場合において、第１接続端子と第２接続端子の間の最短距離をＬ０とし、組合せ基板の上面と透光性カバーの内周面との境界線と第１接続端子との間の最短距離をＬ１とし、組合せ基板の上面と透光性カバーの内周面との境界線と第２接続端子との間の最短距離をＬ２とする。この場合に、配線の長さが、Ｌ０以上であり、（Ｌ０＋Ｌ１＋Ｌ２）以下である。
【発明の効果】
【０００７】
長さＬ０は、第１接続端子と第２接続端子とを接続することができる最小の長さである。また、長さ（Ｌ０＋Ｌ１＋Ｌ２）は、第１接続端子と第２接続端子とを接続する配線を、組合せ基板の上面に沿わせた状態で線状光源から遠ざける方向に迂回させた場合の最大の長さである。
配線の長さがＬ０以上なので、この配線を用いて第１接続端子と第２接続端子とを接続することができる。また、配線の長さが（Ｌ０＋Ｌ１＋Ｌ２）以下なので、配線を組合せ基板の上面に沿わせた状態を確保することができる。したがって、隣り合う基板を接続する配線により配光特性に悪影響が生じることを抑制することができる。
【図面の簡単な説明】
【０００８】
【図１】本発明の実施形態に係る長尺状の照明装置の分解斜視図
【図２】図１に示す照明装置の長手方向中央部における断面図
【図３】図２の部分拡大図
【図４】発光モジュールの接続部分の斜視図
【図５】図４と同じ部分の上面図
【図６】発光モジュールの接続部分の寸法関係を説明するための上面図
【図７】図６の場合の発光モジュールの側面図
【図８】発光モジュールの接続部分の寸法関係を説明するための上面図
【図９】図８の場合の発光モジュールの側面図
【図１０】発光モジュールの接続部分の寸法関係を説明するための上面図
【図１１】図１０の場合の発光モジュールの側面図
【図１２】発光モジュールの接続部分の寸法関係を説明するための上面図
【図１３】図１２の場合の発光モジュールの側面図
【図１４】特許文献１に記載された照明装置の構造を示す分解斜視図
【発明を実施するための形態】
【０００９】
本発明を実施するための形態を、図面を参照して詳細に説明する。
＜１＞  概略構成
図１は、本発明の実施形態に係る長尺状の照明装置の分解斜視図である。図２は、照明装置の長手方向中央部における断面図であり、図３は図２のＡ部の拡大図である。
照明装置１００は、筐体１１０、基台１２０、発光モジュール１３０ａ，１３０ｂ、第１カバー１４０および第２カバー１５０を備える。
【００１０】
筐体１１０は、上面側が開口した長尺状の容器であり、金属材料や樹脂材料からなる。筐体１１０の内部には、点灯ユニット（不図示）、伝熱板１１１および支持板１１２が収容されている。点灯ユニットは、商用電源の交流電力を発光モジュール点灯用の直流電力に変換するものである。伝熱板１１１は、点灯ユニットの上面側を覆い、点灯ユニットから放射された熱を効率的に筐体１１０に伝えるものである。伝熱板１１１は、基台１２０をネジ止めするためのネジ孔１１１ａを有する。支持板１１２は、筐体１１０内の長手方向の両端部に設けられ、第２カバー１５０をネジ止めするためのネジ孔１１２ａを有する。
【００１１】
基台１２０は、長尺矩形状の主面部１２１と、主面部１２１の短手方向の両側にそれぞれ設けられた脚部１２２とを有する。基台１２０は、例えば、長尺矩形状の金属板の短手方向の両側を屈曲加工することにより形成することができる。主面部１２１は、発光モジュール１３０ａ，１３０ｂをネジ止めするためのネジ孔１２１ａ、第１カバー１４０をネジ止めするためのネジ孔１２１ｂを有する。脚部１２２は、基台１２０を支持板１１２にネジ止めする際にネジを挿通するための挿通孔１２２ａを有する。
【００１２】
発光モジュール１３０ａは、基板１３１ａ、線状光源１３２ａおよび接続端子１３３ａを備える。基板１３１ａは、長尺矩形状であり、例えば、セラミックス基板、ガラスエポキシ基板、あるいは、セラミックスや樹脂などの絶縁被膜が形成された金属基板などが利用できる。線状光源１３２ａは、基板１３１ａ上に基板１３１ａの長手方向に沿って設けられている。線状光源１３２ａは、本実施の形態では２０個のＬＥＤ１３５ａからなる。ＬＥＤ１３５ａは、互いに離間させて列状に配列されており、基板１３１ａ上に設けられた配線パターン（不図示）を用いて電気的に直列に接続されている。ＬＥＤ１３５ａとしては、例えば、白色ＬＥＤを利用することができる。白色ＬＥＤとしては、例えば、青色ＬＥＤと黄色蛍光体の組合せや、青色ＬＥＤと緑色蛍光体と赤色蛍光体の組合せなどが利用できる。接続端子１３３ａは、基板１３１ａ上において線状光源１３２ａの脇に設けられ、基板１３１ａ上に設けられた配線パターン（不図示）を用いて線状光源１３２ａと電気的に接続されている。
【００１３】
発光モジュール１３０ｂは、基板１３１ｂ、線状光源１３２ｂおよび接続端子１３３ｂを備える。発光モジュール１３０ｂの各構成は、発光モジュール１３０ｂの各構成と同じなので説明を省略する。発光モジュール１３０ａ，１３０ｂは、基台１２０上に、基板１３１ａの短辺と基板１３１ｂの短辺とを突き合わせた状態で配置されている。以下、基板１３１ａと基板１３１ｂとの組を、「組合せ基板１３１」と称することがある。発光モジュール１３０ａ，１３０ｂが基台１２０上に配置された状態では、接続端子１３３ｂは、基板１３１ｂの短辺を挟んで接続端子１３３ａに向かい合う位置にある。そして、接続端子１３３ａと接続端子１３３ｂは、配線１３４を介して電気的に接続されている。
【００１４】
第１カバー１４０は、線状光源１３２ａ，１３２ｂ、接続端子１３３ａ，１３３ｂおよび配線１３４を共通に覆うカバーであり、樹脂やガラスなどの透光性材料からなる。第１カバー１４０は、下面側が開口した長尺の半筒部１４１と、半筒部１４１の下面側に設けられたフランジ部１４２とを有する。半筒部１４１は、長尺の円筒を長手方向に割ったような形状を有する。半筒部１４１の内部の空間に線状光源１３２ａ，１３２ｂ、接続端子１３３ａ，１３３ｂおよび配線１３４を収容することができる。フランジ部１４２は、第１カバー１４０を基台１２０にネジ止めする際にネジを挿通するための挿通孔１４３を有する。なお図１では、挿通孔１４３にネジが挿入されている。第１カバー１４０は、半筒部１４１の開口を組合せ基板１３１に向けた状態で、半筒部１４１の長手方向が組合せ基板１３１の長手方向に沿うように基台１２０に配置され、フランジ部１４２の挿通孔１４３に挿入されたネジを用いて基台１２０にネジ止めされる。なお、フランジ部１４２の下面と基台１２０の上面との間にはパッキン１６１が挟まれる。図２に示すように、フランジ部１４２の下面にはパッキン１６１を位置決めするための溝１４４が設けられている。溝１４４の深さはパッキン１６１の直径よりも小さい。パッキン１６１を設けることで、第１カバー１４０と基台１２０とで形成される内部空間に湿気等が侵入するのを抑制することができる。また、図３に示すように、半筒部１４１の短手方向の開口幅Ｗ２は、組合せ基板１３１の短手方向の幅Ｗ１よりも小さい。そのため、組合せ基板１３１の上面の短手方向の両側が第１カバー１４０の下面に接触することになる。具体的には、フランジ部１４２の下面の開口両側に切欠き１４５が設けられている。切欠き１４５の深さは、組合せ基板１３１の厚みと同じかそれよりも小さい。これにより、第１カバー１４０を基台１２０にネジ止めした際に、フランジ部１４２の下面が組合せ基板１３１の上面を基台１２０に向けて押さえつける。従って、組合せ基板１３１の下面を基台１２０の上面に密着させることができ、組合せ基板１３１と基台１２０の熱接触を良好にすることができる。
【００１５】
なお、半筒部１４１には、線状光源１３２ａ，１３２ｂからの出射光を光学的に制御するための光学的機能を付与してもよい。光学的機能とは、例えば、配光を制御するためのレンズ機能、輝度ムラを抑制するための光拡散機能、出射光の波長を変換する光波長変換機能、出射光の特定の波長成分を低減するフィルタ機能などである。また、これらの機能を複合的に組み合わせてもよい。
【００１６】
第２カバー１５０は、筐体１１０の上面側の開口を塞ぐカバーであり、樹脂やガラスなどの透光性材料からなる。第２カバー１５０は、下面側が開口した長尺の半筒部１５１と、半筒部の下面側に設けられたフランジ部１５２とを有する。半筒部１５１は、長尺の角筒を長手方向に割ったような形状を有する。半筒部１５１には、半筒部１４１と同様に、光学的機能を付与してもよい。フランジ部１５２は、第２カバー１５０を筐体１１０にネジ止めする際にネジを挿通するための挿通孔１５３を有する。図１では、挿通孔１５３にネジが挿入されている。なお、フランジ部１５２の下面と基台１２０の上面との間にはパッキン１６２が挟まれる。図２に示すように、フランジ部１５２の下面にはパッキン１６２を収容するための溝１５４が設けられている。パッキン１６２を設けることで、第２カバー１５０と筐体１１０とで形成される内部空間に湿気等が侵入するのを抑制することができる。
【００１７】
＜２＞  配線および接続端子の構造
図４は、発光モジュールの接続部分の斜視図であり、図５は、図４と同じ部分の上面図である。配線１３４は、コネクタ１３４ａ，１３４ｂと被覆線１３４ｃとからなる。被覆線１３４ｃは、金属線の外周面を絶縁膜で被覆したものである。被覆線１３４ｃの両端にそれぞれコネクタ１３４ａ，１３４ｂが接続されている。接続端子１３３ａ，１３３ｂは、それぞれコネクタ１３４ａ，１３４ｂに適合したコネクタ受け部である。接続端子１３３ａ，１３３ｂにはそれぞれコネクタ１３４ａ，１３４ｂを受け入れるための受け口１３６ａ，１３６ｂが設けられている。コネクタ１３４ａ，１３４ｂがそれぞれ接続端子１３３ａ，１３３ｂの受け口１３６ａ，１３６ｂに挿入されることにより、接続端子１３３ａと接続端子１３３ｂとが配線１３４を通じて電気的に接続される。このようにコネクタを利用することにより、半田付けの場合に比べて組立工程を簡易化することができる。また、接続端子１３３ａ，１３３ｂは、発光モジュール１３０ａ，１３０ｂが基台１２０に固定された状態で受け口１３６ａ，１３６ｂが互いに対向するように配置されている。そのため、コネクタ１３４ａの接続端子１３３ａへの挿入の向きとコネクタ１３４ｂの接続端子１３３ｂへの挿入の向きとが反対方向となる。このように受け口１３６ａ，１３６ｂを対向させることにより、配線１３４の長さを短くすることができる。なお、図５中、破線１３１ｃ，１３１ｄは、それぞれ、組合せ基板１３１の上面と第１カバー１４０の内周面との境界線を示す。即ち、境界線１３１ｃ，１３１ｄに挟まれた内側は、第１カバー１４０の半筒部１４１と組合せ基板１３１との間に空間が存在する。一方、境界線１３１ｃ，１３１ｄの外側は、第１カバー１４０のフランジ部１４２の下面と組合せ基板１３１の上面とが接触している。
【００１８】
＜３＞  配線の長さ
図６は、発光モジュールの接続部分の寸法関係を説明するための上面図である。Ｌ０は、接続端子１３３ａと接続端子１３３ｂとの間の最短距離である。Ｌ１は、組合せ基板１３１の上面と第１カバー１４０の内周面との境界線１３１ｃと接続端子１３３ａとの間の最短距離である。Ｌ２は、組合せ基板１３１の上面と第１カバー１４０の内周面との境界線１３１ｃと接続端子１３３ｂとの間の最短距離である。本実施形態では、配線１３４の長さが、Ｌ０以上であり（Ｌ０＋Ｌ１＋Ｌ２）以下の範囲内に設定されている。Ｌ０は、接続端子１３３ａと接続端子１３３ｂとを配線１３４で接続することができる最小の長さである。また、（Ｌ０＋Ｌ１＋Ｌ２）は、接続端子１３３ａと接続端子１３３ｂとを接続する配線１３４を、組合せ基板１３１の上面に沿わせた状態で線状光源１３２ａ，１３２ｂから遠ざける方向に迂回させた場合の最大の長さである。配線１３４の長さがＬ０以上なので、配線１３４を用いて接続端子１３３ａと接続端子１３３ｂとを接続することができる。また、配線１３４の長さが（Ｌ０＋Ｌ１＋Ｌ２）以下なので、配線１３４を組合せ基板１３１の上面に沿わせた状態を確保することができる。この範囲内であれば、配線１３４を組合せ基板１３１の上面に沿わせることができるので、配線１３４により配光特性に悪影響が生じることを抑制することができる。以下、図６〜図１３を用いて詳細に説明する。
【００１９】
図６では、配線１３４の長さがＬ０である。配線１３４の長さと接続端子１３３ａ，１３３ｂ間の最短距離とが同じなので、配線１３４を接続端子１３３ａ，１３３ｂに接続した状態において配線１３４に余剰分が存在しない。このとき、配線１３４は、組合せ基板１３１の上面に沿うこととなる（図７の側面図参照）。このように配線１３４を組合せ基板１３１の上面に沿わせることで、配線１３４が組合せ基板１３１の上面から浮き上がる場合に比べて配光特性に悪影響が生じることを抑制することができる。
【００２０】
図８では、配線１３４の長さが（Ｌ０＋Ｌ１＋Ｌ２）である。この例では、配線１３４を接続端子１３３ａ，１３３ｂに接続した状態において配線１３４に（Ｌ１＋Ｌ２）の長さだけ余剰分が生じる。しかし、配線１３４を線状光源１３２ａ，１３２ｂから遠ざける方向に迂回させることにより、配線１３４を組合せ基板１３１の上面に沿わせた状態を確保することができる（図９の側面図参照）。したがって、図６の例と同様に、配線１３４が組合せ基板１３１の上面から浮き上がる場合に比べて配光特性への悪影響を生じにくくすることができる。なお、図８の例のように配線１３４を線状光源１３２ａ，１３２ｂから遠ざける方向に迂回させることにより、配線１３４自身の高さ（直径）に起因して配光特性に悪影響が生じるのも抑制することができる。
【００２１】
図１０では、配線１３４の長さがＬ０よりも長く（Ｌ０＋Ｌ１＋Ｌ２）よりも短い場合であり、配線１３４がＰ点を通ることができる長さである。Ｐ点は、基板１３１ａ，１３１ｂのそれぞれ突き合わされた短辺と境界線１３１ｃとの交点である。この例では、配線１３４を組合せ基板１３１の上面に沿わせた状態を確保しつつ（図１１の側面図参照）、配線１３４をある程度迂回させながら、配線１３４の屈曲を自然な形状にすることができる。したがって、配光特性に悪影響が生じるのを抑制できると共に、配線１３４の屈曲による特性劣化を生じにくくすることができる。なお、Ｌ１とＬ２が同じ長さの場合、配線１３４の長さが√（Ｌ０＾２＋（２×Ｌ１）＾２）以上であれば、配線１３４がＰ点を通ることができる。
【００２２】
図１２では、配線１３４の長さが（Ｌ０＋Ｌ１＋Ｌ２）より長い場合である。この例では、配線１３４を接続端子１３３ａ，１３３ｂに接続した状態において配線１３４に（Ｌ１＋Ｌ２）よりも長い余剰分が生じる。この場合、配線１３４の余剰分が長すぎるので、配線１３４が組合せ基板１３１の上面に沿わせた状態を確保することが困難である。その結果、配線１３４が組合せ基板１３１の上面から浮き上がってしまい（図１３の側面図矢印参照）、配光特性に悪影響が生じてしまう。
【００２３】
以上より、配線１３４の長さを、Ｌ０以上、（Ｌ０＋Ｌ１＋Ｌ２）以下とすることにより、配線１３４を用いて接続端子１３３ａと接続端子１３３ｂとを接続しつつ、配線１３４により配光特性に悪影響が生じるのを抑制している。また、配線１３４の長さを、√（Ｌ０＾２＋（２×Ｌ１）＾２）以上とすれば、配線１３４自身の高さ（直径）に起因して配光特性に悪影響が生じるのも抑制することができる。
【００２４】
＜４＞  接続端子の位置関係
次に、図４、図５に戻り、接続端子の位置関係について説明する。接続端子１３３ａ，１３３ｂは、それぞれコネクタ受け部であり、ある程度の高さを有する。したがって、接続端子１３３ａ，１３３ｂ自身の高さに起因して配光特性の悪影響が生じるおそれがある。特に、コネクタ受け部の高さがＬＥＤ１３５ａ，１３５ｂの高さよりも高い場合に問題が顕著となる。そこで、本実施形態では、接続端子１３３ａは、基板１３１ａの短手方向において何れのＬＥＤ１３５ａとも重ならないように位置しており、同様に、接続端子１３３ｂは、基板１３１ｂの短手方向において何れのＬＥＤ１３５ｂとも重ならないように位置している。これにより、接続端子１３３ａ，１３３ｂが短手方向にＬＥＤ１３５ａ，１３５ｂと重なる場合に比べて、接続端子１３３ａ，１３３ｂ自身の高さに起因して配光特性に悪影響が生じるのを抑制することができる。
【００２５】
＜５＞  発光モジュールの寸法関係
次に、図６に戻り、発光モジュールの具体的な寸法関係について説明する。なお、以下の寸法はあくまで例示であり、本実施形態がこれらの寸法に限定されることはない。
組合せ基板１３１の短手方向の幅Ｗ１は、２４．５ｍｍ以上２５．５ｍｍ以下であり、本実施形態では２５．０ｍｍである。また、第１カバー１４０の開口幅Ｗ２は、２２．８ｍｍ以上２３．２ｍｍ以下であり、本実施形態では２３．０ｍｍである。接続端子１３３ａ，１３３ｂの間の最短距離Ｌ０は、４４．３ｍｍ以上４４．９ｍｍ以下であり、本実施形態では４４．６ｍｍである。組合せ基板１３１の上面と第１カバー１４０の内周面との境界線１３１ｃと接続端子１３３ａとの間の最短距離Ｌ１は、３．９ｍｍ以上４．５ｍｍ以下であり、本実施形態では４．２ｍｍである。組合せ基板１３１の上面と第１カバー１４０の内周面との境界線１３１ｃと接続端子１３３ｂとの間の最短距離Ｌ２は、３．９ｍｍ以上４．５ｍｍ以下であり、本実施形態では４．２ｍｍである。接続端子１３３ａと線状光源１３２ａとの間の最短距離Ｌ３は、５．４ｍｍ以上６．０ｍｍ以下であり、本実施形態では５．７ｍｍである。接続端子１３３ｂと線状光源１３２ｂとの間の最短距離Ｌ４は、５．４ｍｍ以上６．０ｍｍ以下であり、本実施形態では５．７ｍｍである。ＬＥＤ１３５ａ，１３５ｂのチップ寸法Ｗ３は、２．８ｍｍ以上３．２ｍｍ以下であり、本実施形態では３．０ｍｍである。ＬＥＤ１３５ａ，１３５ｂの配列ピッチＬ５は、１１．８ｍｍ以上１２．２ｍｍ以下であり、本実施形態では１２．０ｍｍである。接続端子１３３ａ，１３３ｂの長手方向の長さＬ６は、５．２ｍｍ以上５．６ｍｍ以下であり、本実施形態では５．４ｍｍである。接続端子１３３ａ，１３３ｂにコネクタ１３４ａ，１３４ｂが接続された状態でコネクタ１３４ａ，１３４ｂが接続端子１３３ａ，１３３ｂから飛び出した部分の長さＬ７は、３．０ｍｍ以上３．４ｍｍ以下であり、本実施形態では３．２ｍｍである。
【００２６】
＜６＞  変形例
以上、本発明の実施形態を説明したが、本発明はこの実施形態に限られない。例えば、以下のような変形例もある。
（１）接続端子と配線の形態
実施形態では、コネクタを用いて配線を接続しているが、本発明はこれに限られない。例えば、半田付けを用いて配線を接続することとしてもよい。この場合、接続端子はコネクタ受け部ではなく、半田付けをするためのランドとなる。また、コネクタおよびコネクタ受け部の構造も実施形態に示したものに限らず、どのような形態でも適用可能である。
【００２７】
（２）第１カバーの形状
実施形態では、第１カバーの半筒部の形状が円筒を半分に割いたような形状であるが、本発明はこれに限られない。例えば、角筒を半分に割いたような形状でもよい。
また、実施形態では、第１カバーの下面側の開口幅が組合せ基板の短手方向の幅よりも小さくすることにより、第１カバーで組合せ基板を押さえつけることとしている。しかしながら、本発明は、これに限らず、第１カバーの下面側の開口幅が組合せ基板の短手方向の幅と同じでもよい。
【００２８】
（３）多重カバー
実施形態では、第１カバーと第２カバーの多重カバーを利用しているが、本発明は、これに限られない。少なくとも第１カバーがあればよく、第２カバーは必要に応じて設けることとしてもよい。
（４）発光モジュールの数量
実施形態では、発光モジュールの数量が２個であるが、本発明は、これに限られない。３個以上であってもよい。
【００２９】
（５）線状光源
実施形態では、複数のＬＥＤを列状に配列することで線状光源を構成しているが、本発明は、これに限られない。例えば、冷陰極ランプ等で線状光源を構成してもよい。
（６）配線の数量
実施形態では、組合せ基板の短手方向の一方のみに配線が設けられているが、本発明は、これに限られない。例えば、組合せ基板の短手方向の両方にそれぞれ配線を設けることとしてもよい。
【符号の説明】
【００３０】
１００    照明装置
１１０    筐体
１１１    伝熱板
１１１ａ  ネジ孔
１１２    支持板
１１２ａ  ネジ孔
１２０    基台
１２１    主面部
１２１ａ  ネジ孔
１２１ｂ  ネジ孔
１２２    脚部
１２２ａ  挿通孔
１３０ａ，１３０ｂ  発光モジュール
１３１    組合せ基板
１３１ａ，１３１ｂ  基板
１３２ａ，１３２ｂ  線状光源
１３３ａ，１３３ｂ  接続端子
１３４    配線
１３４ａ，１３４ｂ  コネクタ
１３４ｃ  被覆線
１３５ａ，１３５ｂ  ＬＥＤ
１３６ａ，１３６ｂ  受け口
１４０    第１カバー
１４１    半筒部
１４２    フランジ部
１４３    挿通孔
１４４    溝
１５０    第２カバー
１５１    半筒部
１５２    フランジ部
１５３    挿通孔
１６１    パッキン
１６２    パッキン
【図１】
2014099355.tif 000003
【図２】
2014099355.tif 000004
【図３】
2014099355.tif 000005
【図４】
2014099355.tif 000006
【図５】
2014099355.tif 000007
【図６】
2014099355.tif 000008
【図７】
2014099355.tif 000009
【図８】
2014099355.tif 000010
【図９】
2014099355.tif 000011
【図１０】
2014099355.tif 000012
【図１１】
2014099355.tif 000013
【図１２】
2014099355.tif 000014
【図１３】
2014099355.tif 000015
【図１４】
2014099355.tif 000016